(57)【要約】【課題】製品の保持性を確保しつつ、外観品質を高めることができるパッケージを提供する。【解決手段】背面１２と左側面５２と前面７１と右側面４１とで矩形状のパッケージ本体５１を形成し、前面７１より延出した下方延出部８２を背面１２側へ湾曲して、先端部の下方左突起１０２を右側面４１であって背面１２寄りの右係合部３３に係合するとともに、下方右突起１０３を左側面５２であって背面１２寄りの左係合部５４に係合する。また、前面７１より延出した上方延出部８１を背面１２側へ湾曲し、先端部の上方左突起１３２を右側面４１であって背面１２寄りの右係合部３３に係合するとともに、上方延出部８１の上方右突起１３３を左側面５２であって背面１２寄りの左係合部５４に係合する。【選択図】図１
2011251731.tif 000002
【特許請求の範囲】
【請求項１】
製品を収容するパッケージ本体が背面と、該背面の両縁より前方へ向けて延出した右側面及び左側面と、両側面を連設する前面とを備えたパッケージにおいて、
前記前面に連続して上方へ延出する上方延出部と、前記前面に連続して下方へ延出する下方延出部とを設け、前記上方延出部及び前記下方延出部の先端部に側方へ突出する左突起及び右突起を設ける一方、前記パッケージ本体の前記各側面であって前記背面寄りの部位に前記左突起及び右突起が係合する左係合部及び右係合部を設けたことを特徴とするパッケージ。
【請求項２】
前記左側面に単一の前記左係合部を設け、前記上方延出部の前記左突起及び前記下方延出部の前記左突起の両者を前記左係合部に係合可能に構成するとともに、前記右側面に単一の前記右係合部を設け、前記上方延出部の前記右突起及び前記下方延出部の前記右突起の両者を前記右係合部に係合可能に構成したことを特徴とする請求項１記載のパッケージ。
【請求項３】
前記前面より延出した前記上方延出部を前記背面側に湾曲した状態で当該上方延出部の前記各突起を前記各係合部に係合するとともに、前記前面より延出した前記下方延出部を前記背面側に湾曲した状態で当該下方延出部の前記各突起を前記各係合部に係合したことを特徴とする請求項１又は２記載のパッケージ。
【請求項４】
前記前面より延出した前記下方延出部を前記背面側に湾曲して当該下方延出部の前記各突起を前記各係合部に係合した状態で、前記両側面及び前記背面の下縁が湾曲した前記下方延出部より前記下方へ位置するように当該両側面及び前記背面の長さ寸法を設定するとともに、前記両側面及び前記背面の下縁が載置面に当接した状態で当該パッケージ本体が起立するように構成したことを特徴とする請求項１、２又は３記載のパッケージ。
【発明の詳細な説明】
【技術分野】
【０００１】
本発明は、製品を収容するパッケージに関する。
【背景技術】
【０００２】
従来、商品を陳列する際には、パケージが使用されていた（例えば、特許文献１から特許文献３参照。）。
【０００３】
これらのパッケージには、透明プラスチックで形成されたものが知られている。この透明プラスチック製のパケージでは、収容された製品を確認できるため、製品のディスプレイ効果が高められるように構成されている。
【０００４】
このようなプラスチック製のパッケージにあっては、平板形状に戻ろうとする復元力が、紙製のパッケージと比較して強い。このため、製品の出入口を閉鎖するフラップの差込部が外れやすく、出入口が自然に開放される恐れがあった。
【０００５】
これを解決する為に、前記差込部の先端部に側方へ突出する突起を設けるとともに、パッケージ本体側面に前記突起が挿入される係合穴を形成した構造が知られている（例えば、前記特許文献２及び前記特許文献３参照。）。
【０００６】
この際、パッケージ本体に設けられた上方開口部を閉鎖するフラップの差込部のみに前述の係合構造を設けた場合、製品の重さによって下方開口部を閉鎖したフラップが開放され、製品が脱落する恐れがある。
【０００７】
これを解消する為に、パッケージ本体の上方開口部を閉鎖するフラップと下方開口部を閉鎖するフラップとの両者に前記係合構造を設けたものが知られている（例えば、前記特許文献２参照。）。
【先行技術文献】
【特許文献】
【０００８】
【特許文献１】実開昭５９−１１２７８２公報
【特許文献２】特開２００１−３０１７４１公報
【特許文献３】特開２００４−０６７１１９公報
【発明の概要】
【発明が解決しようとする課題】
【０００９】
しかしながら、このような従来のパッケージにあっては、上方開口部を閉鎖するフラップの突起が係合する係合穴は、パッケージ本体の裏面寄りに形成されているが、下方開口部を閉鎖するフラップの突起が係合する係合穴は、パッケージ本体の前面寄りに形成されている。
【００１０】
このため、陳列時において、パケージ前面から側方へ向けて前記突起が突出することとなり、見栄えの悪化を招いたいた。
【００１１】
本発明は、このような従来の課題に鑑みてなされたものであり、製品の保持性を確保しつつ、外観品質を高めることができるパッケージを提供することを目的とするものである。
【課題を解決するための手段】
【００１２】
前記課題を解決するために本発明の請求項１のパッケージにあっては、製品を収容するパッケージ本体が背面と、該背面の両縁より前方へ向けて延出した右側面及び左側面と、両側面を連設する前面とを備えたパッケージにおいて、前記前面に連続して上方へ延出する上方延出部と、前記前面に連続して下方へ延出する下方延出部とを設け、前記上方延出部及び前記下方延出部の先端部に側方へ突出する左突起及び右突起を設ける一方、前記パッケージ本体の前記各側面であって前記背面寄りの部位に前記左突起及び右突起が係合する左係合部及び右係合部を設けた。
【００１３】
すなわち、パッケージ本体の前面には、当該前面より連続して上方へ延出する上方延出部と、下方へ延出する下方延出部とを設けられており、前記上方延出部及び前記下方延出部の先端部には、側方へ突出する左突起及び右突起が設けられている。
【００１４】
このため、前記上方延出部及び前記下方延出部によって前記パッケージ本体の上部開口部及び下部開口部を閉鎖する際には、前記前面より延出した前記両延出部は、前記背面側へ延出される。
【００１５】
一方、前記パッケージ本体の前記各側面には、前記上方延出部及び前記下方延出部に設けられた各突起が係合する各係合部が設けられており、各係合部は、前述した理由から前記背面寄りの部位に設定されている。
【００１６】
このため、前記各突起が係合する前記各係合部が前記側面において、前面寄りに設けられた場合と比較して、前方からの外観品質が高められる。
【００１７】
このとき、前記上方延出部及び前記下方延出部の各突起が、前記側面に設けられた各係合部と係合することから、上方及び下方への不用意な開放を確実に防止することができる。
【００１８】
また、請求項２のパッケージにおいては、前記左側面に単一の前記左係合部を設け、前記上方延出部の前記左突起及び前記下方延出部の前記左突起の両者を前記左係合部に係合可能に構成するとともに、前記右側面に単一の前記右係合部を設け、前記上方延出部の前記右突起及び前記下方延出部の前記右突起の両者を前記右係合部に係合可能に構成した。
【００１９】
すなわち、前記左側面には、単一の前記左係合部が設けられており、前記上方延出部の前記左突起及び前記下方延出部の前記左突起の両者は、前記左係合部に係合される。また、前記右側面には、単一の前記右係合部が設けられており、前記上方延出部の前記右突起及び前記下方延出部の前記右突起の両者は、前記右係合部に係合される。
【００２０】
このため、前記上方延出部の前記左突起が係合する左係合部と、前記下方延出部の前記左突起が係合する左係合部とを、前記左側面にそれぞれ形成するとともに、前記上方延出部の前記右突起が係合する右係合部と、前記下方延出部の前記右突起が係合する右係合部とを、前記右側面にそれぞれ形成する場合と比較して、前記側面への前記係合部の形成数が抑えられる。
【００２１】
さらに、請求項３のパッケージでは、前記前面より延出した前記上方延出部を前記背面側に湾曲した状態で当該上方延出部の前記各突起を前記各係合部に係合するとともに、前記前面より延出した前記下方延出部を前記背面側に湾曲した状態で当該下方延出部の前記各突起を前記各係合部に係合した。
【００２２】
すなわち、前記前面より延出した前記上方延出部は、前記背面側へ向けて湾曲されており、この湾曲した状態で当該上方延出部の前記各突起が前記各係合部に係合される。また、前記前面より延出した前記下方延出部は、前記背面側へ向けて湾曲されており、この湾曲した状態で当該下方延出部の前記各突起が前記各係合部に係合される。
【００２３】
これにより、製品を収容した前記パッケージ本体は、上蓋を構成する前記上方延出部及び下蓋を構成する前記下方延出部が湾曲されており、全体として丸みを帯びた形状となる。
【００２４】
加えて、請求項４のパッケージにあっては、前記前面より延出した前記下方延出部を前記背面側に湾曲して当該下方延出部の前記各突起を前記各係合部に係合した状態で、前記両側面及び前記背面の下縁が湾曲した前記下方延出部より前記下方へ位置するように当該両側面及び前記背面の長さ寸法を設定するとともに、前記両側面及び前記背面の下縁が載置面に当接した状態で当該パッケージ本体が起立するように構成した。
【００２５】
すなわち、前面より下方へ延出した下方延出部を背面側に湾曲して当該下方延出部の各突起を各係合部に係合した状態において、両側面及び前記背面の下縁が、湾曲した下方延出部より下方に位置するように当該両側面及び前記背面の長さ寸法が設定されている。
【００２６】
このため、当該パッケージを載置面に起立した状態では、前記両側面及び前記背面の下縁が当該載置面に当接することで、当該パッケージ本体は、起立状態が維持される。
【発明の効果】
【００２７】
以上説明したように本発明の請求項１のパッケージにあっては、パッケージ本体の前面より延出した上方延出部を背面側へ延出するとともに、その先端部に設けられた突起を側面の係合部に係合することで当該パッケージ本体の上部開口部を閉鎖することができる。また、パッケージ本体の前面より延出した下方延出部を背面側へ延出するとともに、その先端部に設けられた突起を側面の係合部に係合することで、当該パッケージ本体の下部開口部を閉鎖することができる。
【００２８】
このとき、前記各延出部は、その先端部に設けられた突起が前記係合部に係合することで、上部及び下部開口部を確実に閉鎖することができる。これにより、収容した製品の荷重が加えられることがあっても、不用意な開放及び製品の離脱を防止することができ、パッケージ本体に収容された製品の保持能力を高めることができる。
【００２９】
そして、前記各開口部を閉鎖した前記各延出部は、前記背面側へ延出されることから、各延出部の先端部に設けられた各突起が係合する係合部は、前記各側面における前記背面寄りの部位に設定されている。
【００３０】
これにより、前記各係合部及び各係合部に係合した突起を背面側に配置できるので、前記各係合部及び各係合部に係合する突起が前面寄りに露出する場合と比較して、外観品質を高めることができる。
【００３１】
したがって、陳列時での見栄えを向上することができる。
【００３２】
また、請求項２のパッケージにおいては、前記側面に単一の前記左係合部及び右係合部が設けられており、前記上方延出部の前記左突起及び前記下方延出部の前記左突起の両者は前記左係合部に係合されるとともに、前記上方延出部の前記右突起及び前記下方延出部の前記右突起の両者は前記右係合部に係合される。
【００３３】
このため、前記上方延出部の前記右突起が係合する右係合部と、前記下方延出部の前記右突起が係合する右係合部とを、前記右側面にそれぞれ形成する場合と比較して、前記側面に形成される前記係合部の個数を抑えることができる。
【００３４】
これに伴って、各係合部及び各係合部に係合した突起の露出を防止することができるので、外観品質のさらなる向上を図ることができる。
【００３５】
加えて、前記上方延出部の左突起と前記下方延出部の左突起とが係合する前記左係合部の共有化、及び前記上方延出部の右突起及び前記下方延出部の右突起とが係合する前記右係合部の共有化を図ることができる。
【００３６】
また、係合部を共有化するため、係合部を複数設けた場合と比較して、剛性を高めることができ、不用意な切れ等の不具合を確実に防止することができる。
【００３７】
さらに、請求項３のパッケージでは、製品を収容したパッケージ本体において、上蓋を構成する上方延出部、及び下蓋を構成する下方延出部を湾曲することで、パッケージ本体を全体として丸みを帯びた形状にすることができる。
【００３８】
このため、製品を収容するパッケージ本体が矩形状に形成された一般的なパッケージと比較して、デザイン性を向上することができる。
【００３９】
加えて、請求項４のパッケージにあっては、パッケージ本体の両側面及び背面を、湾曲された下方延出部より下方に延出することで、前記両側面及び前記背面の下縁を載置面に当接した状態で、当該パッケージ本体を前記載置面に起立させることができる。
【００４０】
これにより、丸みを帯びたデザイン性を維持しつつ、起立した陳列が可能となる。
【図面の簡単な説明】
【００４１】
【図１】本発明の一実施の形態を示す展開図である。
【図２】同実施の形態を示す側面図である。
【図３】同実施の形態を組み立てる様子を示す説明図である。
【発明を実施するための形態】
【００４２】
以下、本発明の一実施の形態を図に従って説明する。
【００４３】
図１は、本実施の形態にかかるパッケージ１を展開した状態を示すを示す図であり、該パッケージ１は、図２にも示すように、丸みを帯びた製品２を収容するものである。
【００４４】
このパッケージ１は、無色透明のプラスチックで形成されており、平板状のプラスチックフィルムが、図１に示したように、型抜きされて形成されている。
【００４５】
この型抜きされた基材１１には、長方形状に形成された背面１２が形成されており、該背面１２の上縁は、両角部が円弧状に形成されている。前記背面１２の上縁には、薄肉化又は破断線で構成された昜折り曲げ部１３が設定されており、該昜折り曲げ部１３より図１中上方側には、前記背面１２と同形状の挟持部１４が逆向きに連設されている。
【００４６】
これにより、前記昜折り曲げ部１３を中心に前記挟持部１４を前記背面１２の表面側（図１中裏側）に折り曲げて重ねられるように構成されており、この際に、前記背面１２と前記挟持部１４間に説明書き等を視認可能に挟持できるように構成されている。なお、この説明書き等は、前記挟持部１４及び前記背面１２に直接印刷しても良い。
【００４７】
前記背面１２の上部には、横長の細溝部２１が開設されており、該細溝部２１の中央には、上方へ突出した円弧状の円弧部２２が開設されている。また、前記挟持部１４にも、同形状の細溝部２３と円弧部２４とが開設されており、当該挟持部１４を前記昜折り曲げ部１３を中心に前記背面１２側へ折り曲げた状態で、前記背面１２の前記細溝部２１及び円弧部２２と、前記挟持部１４の前記細溝部２３及び円弧部２４とが合致するように配置されている。このように、前記挟持部１４を前記背面１２側に折返し、前記背面１２の前記細溝部２１及び円弧部２２と、前記挟持部１４の前記細溝部２３及び円弧部２４とを一致させた状態で、当該パッケージ１を陳列フック２５等（図２参照）に吊り下げる為の吊り下げ部２６を形成できるように構成されている。
【００４８】
前記背面１２の図１中左下部には、長方形状の接合部３１が形成されており、該接合部３１は、前記背面１２より側方へ向けて延出している。この接合部３１と前記背面１２との間には、薄肉化又は破断線で構成された昜折り曲げ部３２が設定されており、前記接合部３１を前記背面１２に対して、図１中裏側に折曲できるように構成されている。この昜折り曲げ部３２上には、長方形状の開口部が開設されており、当該開口部によって右係合部３３が形成されている。
【００４９】
これにより、前記背面１２に対して前記接合部３１を起立した状態では、該接合部３１に接合される右側面４１及び前記背面１２との角部、つまり前記右側面４１であって前記背面１２寄りの部位に、スリット状の前記右係合部３３が開口するように構成されている。
【００５０】
また、前記背面１２の図１中右下部には、パッケージ本体５１（図２参照）の側面を形成する左側面５２が連設されている。該左側面５２と前記背面１２との間には、薄肉化又は破断線で構成された昜折り曲げ部５３が設定されており、前記左側面５２を前記背面１２に対して図１中裏側へ折曲できるように構成されている。この昜折り曲げ部５３上には、長方形状の開口部が開設されており、当該開口部によって左係合部５４が前記右係合部３３と対称位置に設けられている。
【００５１】
これにより、前記背面１２に対して前記左側面５２を起立した状態では、該左側面５２及び前記背面１２との角部、つまり前記左側面５２であって前記背面１２寄りの部位にスリット状の前記左係合部５４が開口するように構成されている。
【００５２】
前記左側面５２は、長方形状に形成されるとともに、その上縁部は、円弧状に形成されている。この円弧状縁部６１からは、円弧状のタブ６２が、前記背面１２側へ向けて斜めに延出している。
【００５３】
この左側面５２の側部には、前面７１が連設されており、該前面７１と前記左側面５２との間には、薄肉化又は破断線で構成された昜折り曲げ部７２が設定されている。この昜折り曲げ線７２の下部には、前記左側面５２の下縁から前記昜折り曲げ部７２までの間に左縁スリット７３が延設されており、当該左縁スリット７３の奥部からは、図１中左斜め上方へ向けてミシン目の破断線で構成された昜破断部７４が設定されている。
【００５４】
この昜破断部７４は、前記左縁スリット７３と前記左側面５２の前記円弧状縁部６１の図１中左端を結ぶように延設されており、前記タブ６２を引っ張って前記昜破断部７４に沿って切断することで、ケース状に形成されたパッケージ本体５１を前記左側面５２から開放できるように構成されている。
【００５５】
前記左側面５２に前記昜折り曲げ部７２を介して連設された前記前面７１には、当該前面７１に連続し図１中上方へ向けて延出する上方延出部８１と、当該前面７１に連続し図１中下方へ向けて延出した下方延出部８２とが一体形成されている。
【００５６】
該下方延出部８２の側部には、前記左縁スリット７３の側部にやや幅狭の下方幅狭部９１が設定されており、該下方幅狭部９１より先端側には、やや幅広の下方幅広部９２が形成されている。該下方幅広部９２の先端側には、さらに幅広の下方先端幅広部９３が形成されており、該下方先端幅広部９３より先端側には、先端へ向かうに従って幅狭となる舌片９４が形成され、当該舌片９４の先端縁９５は直線状に形成されている。
【００５７】
これにより、前記下方延出部８２の先端部には、前記下方幅広部９２と前記下方先端幅広部９３とによって下部段差１０１，１０１が両側部に形成されており、当該下部段差１０１，１０１を形成した前記下方先端幅広部９３の両側部によって、当該下方延出部８２の側縁より左方へ突出した下方左突起１０２と、当該下方延出部８２の側縁より右方へ突出した下方右突起１０３とが形成されている。
【００５８】
そして、前記下方右突起１０３は、前記右側面４１であって前記背面１２寄りの部位に形成された前記右係合部３３に挿入した状態で係合されるように構成されており、前記下方左突起１０２は、前記左側面５２であって前記背面１２寄りの部位に形成された前記左係合部５４に挿入した状態で係合されるように構成されている。
【００５９】
また、前記上方延出部８１の側部には、前記昜折り曲げ部７２より図１中上部側にやや幅広の上方幅広部１１１が設定されており、該上方幅広部１１１より先端側には、やや幅狭の上方幅狭部１１２が形成されている。前記上方幅広部１１１の上下方向の長さ寸法は、図１中左縁側が右縁側より短めに設定されており、前記上方延出部８１の左縁の前記左方幅広部１１３は短めに設定され、前記上方延出部８１の右縁の右方幅広部１１４は長めに設定されている。
【００６０】
前記上方延出部８１の前記左方幅広部１１３及び前記右方幅広部１１４より先端側に設けられた前記上方幅狭部１１２の先端側には、やや幅広の上方先端幅広部１２１が設定されている。この上方先端幅広部１２１の両角部は丸められており、当該上方先端延出部１２１の先端縁１２２は、直線状に形成されている。
【００６１】
これにより、前記上方延出部８１の先端部には、前記上方幅狭部１１２と前記上方先端幅広部１２１とによって上部段差１３１，１３１が形成されており、当該上部段差１３１，１３１より先端側には、前記上方先端幅広部１２１の両側部によって、当該上方延出部８１の側縁より左方へ突出した上方左突起１３２と、当該上方延出部８１の側縁より右方へ突出した上方右突起１３３とが形成されている。
【００６２】
そして、前記上方右突起１３３は、前記右側面４１であって前記背面１２寄りの部位に形成された前記右係合部３３に挿入した状態で係合されるように構成されており、前記上方左突起１３２は、前記左側面５２であって前記背面１２寄りの部位に形成された前記左係合部５４に挿入した状態で係合されるように構成されている。
【００６３】
前記前面７１には、図１中下寄りの部分に円弧状の固定用スリット１５１が開設されており、図２にも示したように、前記製品２の上部に設けられた鍔部１５２を当該固定用スリット１５１に挿入することで、当該パッケージ本体５１内に収容された前記製品２を位置決めできるように構成されている。また、前記前面７１の図１中右上部には、下縁連結部１５３を除く部位が円弧状に切断されてなる飾り部１５４が形成されており、当該上方延出部８１を前記背面１２側へ湾曲した際に、当該飾り部１５４が上方へ向けて突出するように構成されている。
【００６４】
前記前面７１の側部には、右側面４１が連設されており、該右側面４１と前記前面７１との間には、薄肉化又は破断線で構成された昜折り曲げ部１６１が設定されている。この昜折り曲げ線１６１の下部には、前記右側面４１の下縁から前記昜折り曲げ部１６１まで延在する右縁スリット１６２が形成されており、該右縁スリット１６２の基端と前記左縁スリット７３の基端とを結ぶ位置から前記下方延出部８２を前記背面１２側へ湾曲できるうように構成されている。
【００６５】
前記右側面４１の上縁１７１は、前記左側面５２の上縁６１と同様に円弧状に形成されており、当該右側面４１の図１中右側部には、前記背面１２より延出した前記接合部３１が重ねられた状態で接合されるように構成されている。
【００６６】
この左側面５２の下縁と前記右側面４１の下縁と前記背面１２の下縁とは、直線状に形成されており、同一直線上に延在するように構成されている。前記左側面５２と前記右側面４１と前記背面１２とは、前記前面７１より延出した前記下方延出部８２を前記背面１２側に湾曲して当該下方延出部８２の前記各突起１０２，１０３を前記各係合部３３，５４に係合した状態において、図２に示したように、前記右側面４１の下縁が構成する右側面下縁１８１と、前記左側面５２の下縁が構成する左側面下縁１８２と、前記背面１２の下縁が構成する背面下縁１８３とが、湾曲した前記下方延出部８２より下方へ突出するように、前記左側面５２と前記右側面４１と前記背面１２との長さ寸法が設定されている。
【００６７】
これにより、前記両側面４１，５２及び前記背面１２の各下縁１８１〜１８３が、図２に示したように、当該パッケージ１を載置する載置面１８５に当接した状態でパッケージ本体５１が起立するように構成されている。
【００６８】
この基材１１から前記パッケージ１を形成する際には、図１に示した展開状態にある基材１１において、前記背面１２の上部に連設された前記挟持部１４を前記昜折り曲げ部１３を中心として図１中裏側に折り曲げて前記背面１２に重ねる。このとき、該背面１２と前記挟持部１４との間に説明書き等を挟持することで、当該説明書きが当該パッケージ１の表面及び裏面から視認できる。なお、この説明書き等は、前記挟持部１４及び前記背面１２に直接印刷しても良い。
【００６９】
そして、前記背面１２に連設された前記接合部３１を前記昜折り曲げ部３２を中心として図１中裏側に折り曲げるとともに、前記背面１２に連設された前記右側面４１を前記昜折り曲げ部５３を中心として図１中裏側に折り曲げた後、前記右側面４１に連設された前記前面７１を前記昜折り曲げ部７２を中心として折り曲げて当該右側面４１を前記背面１２と平行にする。
【００７０】
次に、前記前面７１に連設された前記右側面４１を前記昜折り曲げ部１６１を中心として前記背面１２側へ折り曲げ、当該右側面４１の内側に前記接合部３１を配置した状態で、当該接合部３１と前記右側面４１とを接着剤や熱溶着等によって接合する。
【００７１】
これにより、図３に示したように、断面ロ字状のパッケージ本体５１が形成される。
【００７２】
この状態において、図３にて矢示したように、前記前面７１より延出した前記下方延出部８２を前記背面側１２へ湾曲させ、その先端を断面ロ字状に形成された前記パッケージ本体５１の下部開口へ挿入する。このとき、前記下方延出部８２の先端部に設けられた下方左突起１０２を、前記右側面４１であって前記背面１２寄りの部位に形成された前記右係合部３３に挿入した状態で係合するとともに、前記下方延出部８２の先端部に設けられた下方右突起１０３を、前記左側面５２であって前記背面１２寄りの部位に形成された前記左係合部５４に挿入した状態で係合する。
【００７３】
これにより、前記パッケージ本体５１の下部開口部は、前記下方延出部８２で閉鎖されるとともに、当該下部開口部の不用意な開放が防止される。
【００７４】
前記下部開口部が閉鎖された前記パッケージ本体５１において、開放状態にある上部開口部から製品２を収容するとともに、図２に示したように、該製品２に設けられた鍔部１５２を前記前面７１に形成された固定用スリット１５１に挿入することで、当該パッケージ本体５１内に収容された前記製品２を位置決めする。
【００７５】
この状態において、図３に示したように、前記前面７１より延出した前記上方延出部８１を前記背面１２側へ湾曲させ、その先端を断面ロ字状に形成された前記パッケージ本体５１の上部開口へ挿入する。このとき、前記上方延出部８１の先端部に設けられた上方左突起１３２を、前記左側面５２であって前記背面１２寄りの部位に形成された前記左係合部５４に挿入した状態で係合するとともに、前記上方延出部８１の先端部に設けられた上方右突起１３３を、前記右側面４１であって前記背面１２寄りの部位に形成された前記右係合部３３に挿入した状態で係合する。
【００７６】
これにより、前記パッケージ本体５１の上部開口部は、前記上方延出部８１で閉鎖されるとともに、当該上部開口部の不用意な開放が防止される。
【００７７】
このとき、前記上方延出部８１の湾曲に伴って、当該上方延出部８１に設けられた飾り部１５４が上方へ向けて突出することとなる。
【００７８】
また、前記上方延出部８１の左縁に短めに設定された前記左方幅広部１１３は、前記右側面４１の上縁６１の外周部に沿って延在するが、前記タブ６２とは干渉しないように構成されている。一方、前記上方延出部８１の右縁に長めに設定された前記右方幅広部１１４は、前記右側面４１の上縁１７１の外周部に沿って、全域に渡り延在するように構成されている。
【００７９】
以上の構成にかかる本実施において、前記パッケージ本体５１の前面７１には、当該前面７１より連続して上方へ延出する上方延出部８１と、下方へ延出する下方延出部８２とが設けられており、前記上方延出部８１及び前記下方延出部８２の先端部には、側方へ突出する左突起１０２，１３２及び右突起１０３，１３３が設けられている。
【００８０】
このため、前記上方延出部８１及び前記下方延出部８２によって前記パッケージ本体５１の上部開口部及び下部開口部を閉鎖する際には、前記前面７１より延出した前記両延出部８１，８２は、前記背面１２側へ延出される。
【００８１】
一方、前記パッケージ本体５１の前記各側面４１，４２には、前記上方延出部８１及び前記下方延出部８２に設けられた各突起１０２，１０３，１３２，１３３が係合する各係合部３３，５４が設けられており、各係合部３３，５４は、前述した理由から前記背面１２寄りの部位に設定されている。
【００８２】
このため、前記各突起１０２，１０３，１３２，１３３が係合する前記各係合部３３，５４が前記各側面４１，５２において、前面７１寄りに設けられた場合と比較して、前方からの外観品質が高められる。
【００８３】
このとき、前記上方延出部８１及び前記下方延出部８２の各突起１０２，１０３，１３２，１３３が、前記側面４１，５２に設けられた各係合部３３，５４と係合することから、上方及び下方への不用意な開放を確実に防止することができる。
【００８４】
このように、前記パッケージ本体５１の前記前面７１より延出した前記上方延出部８１を前記背面１２側へ延出するとともに、その先端部に設けられた各突起１３２，１３３を前記各側面４１，５２の係合部３３，５４に係合することで、当該パッケージ本体５１の上部開口部を閉鎖することができる。また、パッケージ本体５１の前記前面７１より延出した前記下方延出部８２を前記背面１２側へ延出するとともに、その先端部に設けられた各突起１０２，１０３を前記各側面４１，５１の各係合部３３，５４に係合することで、当該パッケージ本体５１の下部開口部を閉鎖することができる。
【００８５】
このとき、前記各延出部８１，８２は、その先端部に設けられた各突起１０２，１０３，１３２，１３３が前記各係合部３３，５４に係合することで、当該パッケージ本体５１の上部及び下部開口部を確実に閉鎖することができる。
【００８６】
これにより、収容した製品２の荷重が加えられることがあっても、不用意な開放及び不用意な製品２の離脱を防止することができ、パッケージ本体５１に収容された製品２の保持能力を高めることができる。
【００８７】
そして、前記上部及び下部開口部を閉鎖した前記各延出部８１，８２は、前記背面１２側へ延出されることから、各延出部８１，８２の先端部に設けられた各突起１０２，１０３，１３２，１３３が係合する各係合部３３，５４は、前記各側面４１，５２における前記背面１２寄りの部位に設定されている。
【００８８】
これにより、前記各係合部３３，５４及び各係合部３３，５４に係合した各突起１０２，１０３，１３２，１３３を前記背面１２側に配置できるので、前記各係合部３３，５４及び各係合部３３，５４に係合する各突起１０２，１０３，１３２，１３３が前記前面７１寄りに露出する場合と比較して、外観品質を高めることができる。
【００８９】
したがって、陳列時での見栄えを向上することができる。
【００９０】
また、前記各側面４１，５２には、前記左係合部５４及び右係合部３３が設けられており、前記上方延出部８１の前記上方左突起１３２及び前記下方延出部８２の前記下方左突起１０２の両者を、単一の前記左係合部５４に係合することができるとともに、前記上方延出部８１の前記上方右突起１３３及び前記下方延出部８２の前記下方右突起１０３の両者を、単一の前記右係合部３３に係合することができる。
【００９１】
このため、前記上方延出部８１の前記各突起１３２，１３３が係合する係合部と、前記下方延出部８２の前記各突起１０２，１０３が係合する係合部とを、前記各側面４１，５２にそれぞれ形成する場合と比較して、前記各側面４１，５２に形成される係合部の個数を抑えることができる。
【００９２】
これに伴って、各係合部３３，５４及び各係合部３３，５４に係合した各突起１０２，１０３，１３２，１３３の露出数を抑えることができるので、外観品質のさらなる向上を図ることができる。
【００９３】
加えて、前記上方延出部８１の上方左突起１３２と前記下方延出部８２の下方左突起１０２とが係合する前記左係合部５４の共有化、及び前記上方延出部８１の上方右突起１３３及び前記下方延出部８２の下方右突起１０３とが係合する前記右係合部３３の共有化を図ることができる。
【００９４】
さらに、前記各係合部３３，５４を共有化できるので、複数の係合部を設けた場合に比べて昜折り曲げ部３２，５３の強度を保つことができ、昜折り曲げ部３２，５３が切れてしまうことを防止できる。
【００９５】
また、前記前面７１より延出した前記上方延出部８１は、前記背面１２側へ向けて湾曲されており、この湾曲した状態で当該上方延出部８１の前記各突起１３２，１３３が前記各係合部３３，５４に係合されている。また、前記前面７１より延出した前記下方延出部８２は、前記背面１２側へ向けて湾曲されており、この湾曲した状態で当該下方延出部８２の前記各突起１０２，１０３が前記各係合部３３，５４に係合されている。
【００９６】
このように、前記製品２を収容したパッケージ本体５１において、上蓋を構成する前記上方延出部８１、及び下蓋を構成する前記下方延出部８２を湾曲することで、当該パッケージ本体５１を全体として丸みを帯びた形状にすることができる。
【００９７】
このため、前記製品２を収容するパッケージ本体が矩形状に形成された一般的なパッケージと比較して、デザイン性を向上することができる。
【００９８】
そして、前記前面７１より下方へ延出した前記下方延出部８２を前記背面１２側に湾曲して当該下方延出部８２の各突起１０２，１０３を前記各係合部３３，５４に係合した状態において、前記両側面４１，５２及び前記背面１２の各下縁１８１〜１８３が、湾曲した前記下方延出部８２より下方に位置するように前記各側面４１，５２及び前記背面１２の長さ寸法が設定されている。
【００９９】
このため、当該パッケージ１を載置面１８５に起立した状態では、前記両側面４１，５２及び前記背面１２の各下縁１８１〜１８３が当該載置面１８５に線接触することで、当該パッケージ本体５１を前記載置面１８５に起立させることができる。
【０１００】
これにより、丸みを帯びたデザイン性を維持しつつ、起立した陳列状態も形成可能となる。
【符号の説明】
【０１０１】
１    パッケージ
２    製品
１２    背面
３３    右係合部
４１    右側面
５１    パッケージ
５２    左側面
５４    左係合部
７１    前面
８１    上方延出部
８２    下方延出部
１０２    下方左突起
１０３    下方右突起
１３２    上方左突起
１３３    上方右突起
１８１    右側面下縁
１８２    左側面下縁
１８３    背面下縁
１８５    載置面
【図１】
2011251731.tif 000003
【図２】
2011251731.tif 000004
【図３】
2011251731.tif 000005